【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、温刺激と冷刺激とを交互に繰り返し供給するように、前記シート温冷刺激装置の作動を制御するとともに、前記シート温冷刺激装置が温刺激を供給する期間の全部または一部で、前記前面側刺激装置が冷刺激を供給するように、前記前面側刺激装置の作動を制御し、
前記制御装置は、前記シート温冷刺激装置が温刺激を供給する期間の全部または一部で、前記前面側刺激装置が冷刺激を供給する際に、供給する冷刺激の量が時間の経過に伴って徐々に増大するように、前記前面側刺激装置の作動を制御する、温冷刺激システム。
【請求項２】
前記前面側刺激装置は、前記着座者の身体の前面側部位に対して、温刺激を供給し、
前記制御装置は、前記シート温冷刺激装置が冷刺激を供給する期間の全部または一部で、前記前面側刺激装置が温刺激を供給するように、前記前面側刺激装置の作動を制御する、請求項１に記載の温冷刺激システム。
【請求項３】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、温刺激と冷刺激とを交互に繰り返し供給するように、前記シート温冷刺激装置の作動を制御するとともに、前記シート温冷刺激装置が温刺激を供給する期間の全部または一部で、前記前面側刺激装置が冷刺激を供給するように、前記前面側刺激装置の作動を制御し、
前記前面側刺激装置は、前記着座者の身体の前面側部位に対して、温刺激を供給し、
前記制御装置は、前記シート温冷刺激装置が冷刺激を供給する期間の全部または一部で、前記前面側刺激装置が温刺激を供給するように、前記前面側刺激装置の作動を制御し、
前記制御装置は、前記シート温冷刺激装置が冷刺激を供給する期間の全部または一部で、前記前面側刺激装置が温刺激を供給する際に、供給する温刺激の量が時間の経過に伴って徐々に増大するように、前記前面側刺激装置の作動を制御する、温冷刺激システム。
【請求項４】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、温刺激を供給する前面側刺激装置（３０）と、
前記シート温冷刺激装置と前記前面側刺激装置とのそれぞれの作動を制御する制御装置（４０）とを備え、
前記制御装置は、温刺激と冷刺激とを交互に繰り返し供給するように、前記シート温冷刺激装置の作動を制御するとともに、前記シート温冷刺激装置が冷刺激を供給する期間の全部または一部で、前記前面側刺激装置が温刺激を供給するように、前記前面側刺激装置の作動を制御し、
前記制御装置は、前記シート温冷刺激装置が冷刺激を供給する期間の全部または一部で、前記前面側刺激装置が温刺激を供給する際に、供給する温刺激の量が時間の経過に伴って徐々に増大するように、前記前面側刺激装置の作動を制御する、温冷刺激システム。
【請求項５】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、
前記着座者の上半身に対して冷刺激を供給するように前記前面側刺激装置の作動を制御する冷房モードの実行中に、前記着座者の背面側部位に温刺激と冷刺激とを交互に繰り返し供給するように前記シート温冷刺激装置の作動を制御し、
前記冷房モードの実行中に前記前面側刺激装置が前記着座者の上半身へ供給する冷刺激の強さを、前記シート温冷刺激装置が冷刺激を供給するときに比べて前記シート温冷刺激装置が温刺激を供給するときの方が強くなるように制御し、
前記シート温冷刺激装置が温刺激を供給する期間のうち温刺激の供給開始から一定時間（Δｔ１５）が経過するまでの期間が温刺激前期（Ｐ１）であり、前記シート温冷刺激装置が温刺激を供給する期間のうち前記一定時間が経過したときから温刺激の供給終了までの期間が温刺激後期（Ｐ２）であり、
前記制御装置は、前記冷房モードの実行中に前記前面側刺激装置が前記着座者の上半身へ供給する冷刺激の強さを、前記温刺激前期に比べて前記温刺激後期の方が強くなるように制御する、温冷刺激システム。
【請求項６】
前記シート温冷刺激装置が冷刺激を供給する期間のうち冷刺激の供給開始から一定時間（Δｔ１６）が経過するまでの期間が冷刺激前期（Ｐ３）であり、前記シート温冷刺激装置が冷刺激を供給する期間のうち前記一定時間が経過したときから冷刺激の供給終了までの期間が冷刺激後期（Ｐ４）であり、
前記制御装置は、前記冷房モードの実行中に前記前面側刺激装置が前記着座者の上半身へ供給する冷刺激の強さを、前記冷刺激前期に比べて前記冷刺激後期の方が弱くなるように制御する、請求項５に記載の温冷刺激システム。 
【請求項７】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、
前記着座者の上半身に対して冷刺激を供給するように前記前面側刺激装置の作動を制御する冷房モードの実行中に、前記着座者の背面側部位に温刺激と冷刺激とを交互に繰り返し供給するように前記シート温冷刺激装置の作動を制御し、
前記冷房モードの実行中に前記前面側刺激装置が前記着座者の上半身へ供給する冷刺激の強さを、前記シート温冷刺激装置が冷刺激を供給するときに比べて前記シート温冷刺激装置が温刺激を供給するときの方が強くなるように制御し、
前記シート温冷刺激装置が冷刺激を供給する期間のうち冷刺激の供給開始から一定時間（Δｔ１６）が経過するまでの期間が冷刺激前期（Ｐ３）であり、前記シート温冷刺激装置が冷刺激を供給する期間のうち前記一定時間が経過したときから冷刺激の供給終了までの期間が冷刺激後期（Ｐ４）であり、
前記制御装置は、前記冷房モードの実行中に前記前面側刺激装置が前記着座者の上半身へ供給する冷刺激の強さを、前記冷刺激前期に比べて前記冷刺激後期の方が弱くなるように制御する、温冷刺激システム。
【請求項８】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、
前記着座者の上半身に対して冷刺激を供給するように前記前面側刺激装置の作動を制御する冷房モードの実行中に、前記着座者の背面側部位に温刺激と冷刺激とを交互に繰り返し供給するように前記シート温冷刺激装置の作動を制御し、
前記冷房モードの実行中に前記前面側刺激装置が前記着座者の上半身へ供給する冷刺激の強さを、前記シート温冷刺激装置が冷刺激を供給するときに比べて前記シート温冷刺激装置が温刺激を供給するときの方が強くなるように制御し、
前記制御装置は、前記冷房モードの実行中に前記前面側刺激装置が前記着座者の上半身へ供給する冷刺激の強さを、前記シート温冷刺激装置が冷刺激を供給するときに比べて前記シート温冷刺激装置が温刺激を供給するときの方が強くなるように制御する際に、前記前面側刺激装置が供給する冷刺激の強さを、時間の経過に伴って徐々に強くする、温冷刺激システム。
【請求項９】
前記制御装置は、前記冷房モードの実行中に前記前面側刺激装置が前記着座者の上半身へ供給する冷刺激の強さを、前記シート温冷刺激装置が温刺激を供給するときに比べて前記シート温冷刺激装置が冷刺激を供給するときの方が弱くなるように制御する際に、前記前面側刺激装置が供給する冷刺激の強さを時間の経過に伴って徐々に弱くする、請求項８に記載の温冷刺激システム。
【請求項１０】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、冷刺激を供給する前面側刺激装置（３０）と、
前記シート温冷刺激装置と前記前面側刺激装置とのそれぞれの作動を制御する制御装置（４０）とを備え、
前記制御装置は、
前記着座者の上半身に対して冷刺激を供給するように前記前面側刺激装置の作動を制御する冷房モードの実行中に、前記着座者の背面側部位に温刺激と冷刺激とを交互に繰り返し供給するように前記シート温冷刺激装置の作動を制御し、
前記冷房モードの実行中に前記前面側刺激装置が前記着座者の上半身へ供給する冷刺激の強さを、前記シート温冷刺激装置が冷刺激を供給するときに比べて前記シート温冷刺激装置が温刺激を供給するときの方が強くなるように制御し、
前記制御装置は、前記冷房モードの実行中に前記前面側刺激装置が前記着座者の上半身へ供給する冷刺激の強さを、前記シート温冷刺激装置が温刺激を供給するときに比べて前記シート温冷刺激装置が冷刺激を供給するときの方が弱くなるように制御する際に、前記前面側刺激装置が供給する冷刺激の強さを時間の経過に伴って徐々に弱くする、温冷刺激システム。
【請求項１１】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、温刺激を供給する前面側刺激装置（３０）と、
前記シート温冷刺激装置と前記前面側刺激装置とのそれぞれの作動を制御する制御装置（４０）とを備え、
前記制御装置は、
前記着座者の下半身に対して温刺激を供給するように前記前面側刺激装置の作動を制御する暖房モードの実行中に、前記着座者の背面側部位に温刺激と冷刺激とを交互に繰り返し供給するように前記シート温冷刺激装置の作動を制御し、
前記暖房モードの実行中に前記前面側刺激装置が前記着座者の下半身へ供給する温刺激の強さを、前記シート温冷刺激装置が温刺激を供給するときに比べて前記シート温冷刺激装置が冷刺激を供給するときの方が強くなるように制御し、
前記シート温冷刺激装置が冷刺激を供給する期間のうち冷刺激の供給開始から一定時間（Δｔ２５）が経過するまでの期間が冷刺激前期（Ｐ１１）であり、前記シート温冷刺激装置が冷刺激を供給する期間のうち前記一定時間が経過したときから冷刺激の供給終了までの期間が冷刺激後期（Ｐ１２）であり、
前記制御装置は、前記前面側刺激装置が前記着座者の下半身へ供給する温刺激の強さを、前記冷刺激前期に比べて前記冷刺激後期の方が強くなるように制御する、温冷刺激システム。
【請求項１２】
前記シート温冷刺激装置が温刺激を供給する期間のうち温刺激の供給開始から一定時間（Δｔ２６）が経過するまでの期間が温刺激前期（Ｐ１３）であり、前記シート温冷刺激装置が温刺激を供給する期間のうち前記一定時間が経過したときから温刺激の供給終了までの期間が温刺激後期（Ｐ１４）であり、
前記制御装置は、前記前面側刺激装置が前記着座者の下半身へ供給する温刺激の強さを、前記温刺激前期に比べて前記温刺激後期の方が弱くなるように制御する、請求項１１に記載の温冷刺激システム。
【請求項１３】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、温刺激を供給する前面側刺激装置（３０）と、
前記シート温冷刺激装置と前記前面側刺激装置とのそれぞれの作動を制御する制御装置（４０）とを備え、
前記制御装置は、
前記着座者の下半身に対して温刺激を供給するように前記前面側刺激装置の作動を制御する暖房モードの実行中に、前記着座者の背面側部位に温刺激と冷刺激とを交互に繰り返し供給するように前記シート温冷刺激装置の作動を制御し、
前記暖房モードの実行中に前記前面側刺激装置が前記着座者の下半身へ供給する温刺激の強さを、前記シート温冷刺激装置が温刺激を供給するときに比べて前記シート温冷刺激装置が冷刺激を供給するときの方が強くなるように制御し、
前記シート温冷刺激装置が温刺激を供給する期間のうち温刺激の供給開始から一定時間（Δｔ２６）が経過するまでの期間が温刺激前期（Ｐ１３）であり、前記シート温冷刺激装置が温刺激を供給する期間のうち前記一定時間が経過したときから温刺激の供給終了までの期間が温刺激後期（Ｐ１４）であり、
前記制御装置は、前記前面側刺激装置が前記着座者の下半身へ供給する温刺激の強さを、前記温刺激前期に比べて前記温刺激後期の方が弱くなるように制御する、温冷刺激システム。
【請求項１４】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、温刺激を供給する前面側刺激装置（３０）と、
前記シート温冷刺激装置と前記前面側刺激装置とのそれぞれの作動を制御する制御装置（４０）とを備え、
前記制御装置は、
前記着座者の下半身に対して温刺激を供給するように前記前面側刺激装置の作動を制御する暖房モードの実行中に、前記着座者の背面側部位に温刺激と冷刺激とを交互に繰り返し供給するように前記シート温冷刺激装置の作動を制御し、
前記暖房モードの実行中に前記前面側刺激装置が前記着座者の下半身へ供給する温刺激の強さを、前記シート温冷刺激装置が温刺激を供給するときに比べて前記シート温冷刺激装置が冷刺激を供給するときの方が強くなるように制御し、
前記制御装置は、前記暖房モードの実行中に前記前面側刺激装置が前記着座者の下半身へ供給する温刺激の強さを、前記シート温冷刺激装置が温刺激を供給するときに比べて前記シート温冷刺激装置が冷刺激を供給するときの方が強くなるように制御する際に、前記前面側刺激装置が供給する温刺激の強さを、時間の経過に伴って徐々に強くする、温冷刺激システム。
【請求項１５】
前記制御装置は、前記暖房モードの実行中に前記前面側刺激装置が前記着座者の下半身へ供給する温刺激の強さを、前記シート温冷刺激装置が冷刺激を供給するときに比べて前記シート温冷刺激装置が温刺激を供給するときの方が弱くなるように制御する際に、前記前面側刺激装置が供給する温刺激の強さを時間の経過に伴って徐々に弱くする、請求項１４に記載の温冷刺激システム。
【請求項１６】
温冷刺激システムであって、
シートに設けられ、前記シートに着座する着座者の身体の背面側部位に対して、温刺激と冷刺激とを供給するシート温冷刺激装置（２０）と、
前記着座者の身体の前面側部位に対して、温刺激を供給する前面側刺激装置（３０）と、
前記シート温冷刺激装置と前記前面側刺激装置とのそれぞれの作動を制御する制御装置（４０）とを備え、
前記制御装置は、
前記着座者の下半身に対して温刺激を供給するように前記前面側刺激装置の作動を制御する暖房モードの実行中に、前記着座者の背面側部位に温刺激と冷刺激とを交互に繰り返し供給するように前記シート温冷刺激装置の作動を制御し、
前記暖房モードの実行中に前記前面側刺激装置が前記着座者の下半身へ供給する温刺激の強さを、前記シート温冷刺激装置が温刺激を供給するときに比べて前記シート温冷刺激装置が冷刺激を供給するときの方が強くなるように制御し、
前記制御装置は、前記暖房モードの実行中に前記前面側刺激装置が前記着座者の下半身へ供給する温刺激の強さを、前記シート温冷刺激装置が冷刺激を供給するときに比べて前記シート温冷刺激装置が温刺激を供給するときの方が弱くなるように制御する際に、前記前面側刺激装置が供給する温刺激の強さを時間の経過に伴って徐々に弱くする、温冷刺激システム。
【手続補正２】
【補正対象書類名】明細書
【補正対象項目名】０００９
【補正方法】変更
【補正の内容】
【０００９】
上記目的を達成するため、請求項１、３に記載の発明によれば、
温冷刺激システムは、
シートに設けられ、シートに着座する着座者の身体の背面側部位に対して、温刺激と冷刺激とを供給するシート温冷刺激装置（２０）と、
着座者の身体の前面側部位に対して、冷刺激を供給する前面側刺激装置（３０）と、
シート温冷刺激装置と前面側刺激装置とのそれぞれの作動を制御する制御装置（４０）とを備え、
制御装置は、温刺激と冷刺激とを交互に繰り返し供給するように、シート温冷刺激装置の作動を制御するとともに、シート温冷刺激装置が温刺激を供給する期間の全部または一部で、前面側刺激装置が冷刺激を供給するように、前面側刺激装置の作動を制御する。
さらに、請求項１に記載の発明によれば、制御装置は、シート温冷刺激装置が温刺激を供給する期間の全部または一部で、前面側刺激装置が冷刺激を供給する際に、供給する冷刺激の量が時間の経過に伴って徐々に増大するように、前面側刺激装置の作動を制御する。
また、請求項３に記載の発明によれば、前面側刺激装置は、着座者の身体の前面側部位に対して、温刺激を供給し、
制御装置は、シート温冷刺激装置が冷刺激を供給する期間の全部または一部で、前面側刺激装置が温刺激を供給するように、前面側刺激装置の作動を制御し、
制御装置は、シート温冷刺激装置が冷刺激を供給する期間の全部または一部で、前面側刺激装置が温刺激を供給する際に、供給する温刺激の量が時間の経過に伴って徐々に増大するように、前面側刺激装置の作動を制御する。
【手続補正３】
【補正対象書類名】明細書
【補正対象項目名】００１０
【補正方法】変更
【補正の内容】
【００１０】
請求項１、３に記載の発明によれば、着座者の身体の背面側部位に対して、温刺激と冷刺激とを交互に繰り返し供給するように、シート温冷刺激装置が作動する。これにより、着座者の血管の拡縮により、血流が促進される。このため、着座者の疲労を軽減することができる。
【手続補正４】
【補正対象書類名】明細書
【補正対象項目名】００１３
【補正方法】変更
【補正の内容】
【００１３】
また、請求項４に記載の発明によれば、
温冷刺激システムは、
シートに設けられ、シートに着座する着座者の身体の背面側部位に対して、温刺激と冷刺激とを供給するシート温冷刺激装置（２０）と、
着座者の身体の前面側部位に対して、温刺激を供給する前面側刺激装置（３０）と、
シート温冷刺激装置と前面側刺激装置とのそれぞれの作動を制御する制御装置（４０）とを備え、
制御装置は、温刺激と冷刺激とを交互に繰り返し供給するように、シート温冷刺激装置の作動を制御するとともに、シート温冷刺激装置が冷刺激を供給する期間の全部または一部で、前面側刺激装置が温刺激を供給するように、前面側刺激装置の作動を制御し、
制御装置は、シート温冷刺激装置が冷刺激を供給する期間の全部または一部で、前面側刺激装置が温刺激を供給する際に、供給する温刺激の量が時間の経過に伴って徐々に増大するように、前面側刺激装置の作動を制御する。
【手続補正５】
【補正対象書類名】明細書
【補正対象項目名】００１７
【補正方法】変更
【補正の内容】
【００１７】
また、請求項５、７、８、１０に記載の発明によれば、
温冷刺激システムは、
シートに設けられ、シートに着座する着座者の身体の背面側部位に対して、温刺激と冷刺激とを供給するシート温冷刺激装置（２０）と、
着座者の身体の前面側部位に対して、冷刺激を供給する前面側刺激装置（３０）と、
シート温冷刺激装置と前面側刺激装置とのそれぞれの作動を制御する制御装置（４０）とを備え、
制御装置は、
着座者の上半身に対して冷刺激を供給するように前面側刺激装置の作動を制御する冷房モードの実行中に、着座者の背面側部位に温刺激と冷刺激とを交互に繰り返し供給するようにシート温冷刺激装置の作動を制御し、
冷房モードの実行中に前面側刺激装置が着座者の上半身へ供給する冷刺激の強さを、シート温冷刺激装置が冷刺激を供給するときに比べてシート温冷刺激装置が温刺激を供給するときの方が強くなるように制御する。
さらに、請求項５に記載の発明によれば、
シート温冷刺激装置が温刺激を供給する期間のうち温刺激の供給開始から一定時間（Δｔ１５）が経過するまでの期間が温刺激前期（Ｐ１）であり、シート温冷刺激装置が温刺激を供給する期間のうち一定時間が経過したときから温刺激の供給終了までの期間が温刺激後期（Ｐ２）であり、
制御装置は、冷房モードの実行中に前面側刺激装置が着座者の上半身へ供給する冷刺激の強さを、温刺激前期に比べて温刺激後期の方が強くなるように制御する。
また、請求項７に記載の発明によれば、
シート温冷刺激装置が冷刺激を供給する期間のうち冷刺激の供給開始から一定時間（Δｔ１６）が経過するまでの期間が冷刺激前期（Ｐ３）であり、シート温冷刺激装置が冷刺激を供給する期間のうち一定時間が経過したときから冷刺激の供給終了までの期間が冷刺激後期（Ｐ４）であり、
制御装置は、冷房モードの実行中に前面側刺激装置が着座者の上半身へ供給する冷刺激の強さを、冷刺激前期に比べて冷刺激後期の方が弱くなるように制御する。
また、請求項８に記載の発明によれば、
制御装置は、冷房モードの実行中に前面側刺激装置が着座者の上半身へ供給する冷刺激の強さを、シート温冷刺激装置が冷刺激を供給するときに比べてシート温冷刺激装置が温刺激を供給するときの方が強くなるように制御する際に、前面側刺激装置が供給する冷刺激の強さを、時間の経過に伴って徐々に強くする。
また、請求項１０に記載の発明によれば、
制御装置は、冷房モードの実行中に前面側刺激装置が着座者の上半身へ供給する冷刺激の強さを、シート温冷刺激装置が温刺激を供給するときに比べてシート温冷刺激装置が冷刺激を供給するときの方が弱くなるように制御する際に、前面側刺激装置が供給する冷刺激の強さを時間の経過に伴って徐々に弱くする。
【手続補正６】
【補正対象書類名】明細書
【補正対象項目名】００１８
【補正方法】変更
【補正の内容】
【００１８】
請求項５、７、８、１０に記載の発明によれば、着座者の身体の背面側部位に対して、温刺激と冷刺激とを交互に繰り返し供給するように、シート温冷刺激装置が作動する。これにより、着座者の血管の拡縮により、血流が促進される。このため、着座者の疲労を軽減することができる。
【手続補正７】
【補正対象書類名】明細書
【補正対象項目名】００１９
【補正方法】変更
【補正の内容】
【００１９】
さらに、シート温冷刺激装置が温刺激を供給するときに前面側刺激装置が供給する冷刺激は、シート温冷刺激装置が冷刺激を供給するときに比べて強くされる。このため、シート温冷刺激装置が温刺激を供給するときと冷刺激を供給するときの両方において、前面側刺激装置が供給する冷刺激の強さが、請求項５、７、８、１０の温冷刺激システムでの強い方の冷刺激の強さと弱い方の冷刺激の強さとのうち弱い方の冷刺激の強さに制御される場合と比較して、着座者に入る冷熱を増大させることができる。これにより、着座者の身体全体を出入りする熱の全部または一部が相殺されることで、着座者の体温の上昇を抑制することができる。よって、シート温冷刺激装置の温刺激中に、着座者が全身の暑さを感じにくくすることができる。
【手続補正８】
【補正対象書類名】明細書
【補正対象項目名】００２０
【補正方法】変更
【補正の内容】
【００２０】
また、シート温冷刺激装置が冷刺激を供給するときに前面側刺激装置が供給する冷刺激は、シート温冷刺激装置が温刺激を供給するときに比べて弱くされる。このため、シート温冷刺激装置が温刺激を供給するときと冷刺激を供給するときの両方において、前面側刺激装置が供給する冷刺激の強さが、請求項５、７、８、１０の温冷刺激システムでの強い方の冷刺激の強さと弱い方の冷刺激の強さとのうち強い方の冷刺激の強さに制御される場合と比較して、前面側刺激装置から供給される冷刺激によって、着座者が冷やされることを抑制することができる。冷房モードの実行中では、着座者の周りの環境から着座者の前面側部位に供給される温刺激を打ち消すまたは弱めるように、前面側刺激装置は、着座者の前面側部位に冷刺激を供給している。このため、場合によっては、環境からの温刺激によって着座者の身体を暖めることができる。これにより、着座者の身体全体を出入りする熱の全部または一部が相殺されることで、着座者の体温の低下を抑制することができる。よって、シート温冷刺激装置の冷刺激中に、着座者が全身の寒さを感じにくくすることができる。
【手続補正９】
【補正対象書類名】明細書
【補正対象項目名】００２２
【補正方法】変更
【補正の内容】
【００２２】
また、請求項１１、１３、１４、１６に記載の発明によれば、
温冷刺激システムは、
シートに設けられ、シートに着座する着座者の身体の背面側部位に対して、温刺激と冷刺激とを供給するシート温冷刺激装置（２０）と、
着座者の身体の前面側部位に対して、温刺激を供給する前面側刺激装置（３０）と、
シート温冷刺激装置と前面側刺激装置とのそれぞれの作動を制御する制御装置（４０）とを備え、
制御装置は、
着座者の下半身に対して温刺激を供給するように前面側刺激装置の作動を制御する暖房モードの実行中に、着座者の背面側部位に温刺激と冷刺激とを交互に繰り返し供給するようにシート温冷刺激装置の作動を制御し、
暖房モードの実行中に前面側刺激装置が着座者の下半身へ供給する温刺激の強さを、シート温冷刺激装置が温刺激を供給するときに比べてシート温冷刺激装置が冷刺激を供給するときの方が強くなるように制御する。
さらに、請求項１１に記載の発明によれば、
シート温冷刺激装置が冷刺激を供給する期間のうち冷刺激の供給開始から一定時間（Δｔ２５）が経過するまでの期間が冷刺激前期（Ｐ１１）であり、シート温冷刺激装置が冷刺激を供給する期間のうち一定時間が経過したときから冷刺激の供給終了までの期間が冷刺激後期（Ｐ１２）であり、
制御装置は、前面側刺激装置が着座者の下半身へ供給する温刺激の強さを、冷刺激前期に比べて冷刺激後期の方が強くなるように制御する。
また、請求項１３に記載の発明によれば、
シート温冷刺激装置が温刺激を供給する期間のうち温刺激の供給開始から一定時間（Δｔ２６）が経過するまでの期間が温刺激前期（Ｐ１３）であり、シート温冷刺激装置が温刺激を供給する期間のうち一定時間が経過したときから温刺激の供給終了までの期間が温刺激後期（Ｐ１４）であり、
制御装置は、前面側刺激装置が着座者の下半身へ供給する温刺激の強さを、温刺激前期に比べて温刺激後期の方が弱くなるように制御する。
また、請求項１４に記載の発明によれば、
制御装置は、暖房モードの実行中に前面側刺激装置が着座者の下半身へ供給する温刺激の強さを、シート温冷刺激装置が温刺激を供給するときに比べてシート温冷刺激装置が冷刺激を供給するときの方が強くなるように制御する際に、前面側刺激装置が供給する温刺激の強さを、時間の経過に伴って徐々に強くする。
また、請求項１６に記載の発明によれば、
制御装置は、暖房モードの実行中に前面側刺激装置が着座者の下半身へ供給する温刺激の強さを、シート温冷刺激装置が冷刺激を供給するときに比べてシート温冷刺激装置が温刺激を供給するときの方が弱くなるように制御する際に、前面側刺激装置が供給する温刺激の強さを時間の経過に伴って徐々に弱くする。
【手続補正１０】
【補正対象書類名】明細書
【補正対象項目名】００２３
【補正方法】変更
【補正の内容】
【００２３】
請求項１１、１３、１４、１６に記載の発明によれば、着座者の身体の背面側部位に対して、温刺激と冷刺激とを交互に繰り返し供給するように、シート温冷刺激装置が作動する。これにより、着座者の血管の拡縮により、血流が促進される。このため、着座者の疲労を軽減することができる。
【手続補正１１】
【補正対象書類名】明細書
【補正対象項目名】００２４
【補正方法】変更
【補正の内容】
【００２４】
さらに、シート温冷刺激装置が冷刺激を供給するときに前面側刺激装置が供給する温刺激は、シート温冷刺激装置が温刺激を供給するときよりも強くされる。このため、シート温冷刺激装置が温刺激を供給するときと冷刺激を供給するときの両方において、前面側刺激装置が供給する温刺激の強さが、請求項１１、１３、１４、１６の温冷刺激システムでの強い方の温刺激の強さと弱い方の温刺激の強さとのうち弱い方の温刺激の強さに制御される場合と比較して、着座者に入る温熱を増大させることができる。このため、着座者の身体全体を出入りする熱の全部または一部が相殺されることで、着座者の体温の低下を抑制することができる。よって、シート温冷刺激装置の冷刺激中に、着座者が全身の寒さを感じにくくすることができる。
【手続補正１２】
【補正対象書類名】明細書
【補正対象項目名】００２５
【補正方法】変更
【補正の内容】
【００２５】
また、シート温冷刺激装置が温刺激を供給するときに前面側刺激装置が供給する温刺激は、シート温冷刺激装置が冷刺激を供給するときよりも弱くされる。このため、シート温冷刺激装置が温刺激を供給するときと冷刺激を供給するときの両方において、前面側刺激装置が供給する温刺激の強さが、請求項１１、１３、１４、１６の温冷刺激システムでの強い方の温刺激の強さと弱い方の温刺激の強さとのうち強い方の温刺激の強さに制御される場合と比較して、前面側刺激装置から供給される温刺激によって、着座者が暖められることを抑制することができる。暖房モードの実行中では、着座者の周りの環境から着座者の前面側部位に供給される冷刺激を打ち消すまたは弱めるように、前面側刺激装置は、着座者の前面側部位に温刺激を供給している。このため、場合によっては、環境からの冷刺激によって着座者を冷やすことができる。これにより、着座者の身体全体を出入りする熱の全部または一部が相殺されることで、着座者の体温の上昇を抑制することができる。よって、シート温冷刺激装置の温刺激中に、着座者が全身の暑さを感じにくくすることができる。